(57)【要約】【課題】従来の鉛筆においては、マークシートを塗りつぶすために時間がかかるという課題があった。また、従来の鉛筆においては、マークシートを塗りつぶす際に、マークシートを重ね塗りするために、芯を浪費する、という課題があった。【解決手段】芯の先端部の表面の形状が略長方形である鉛筆により、高速にマークシートを塗りつぶすことができる。また、芯の先端部の表面の形状を構成する長い方の幅が、略２ｍｍ以上略５ｍｍ以下であることが好適である。また、芯の先端部の表面の形状を構成する短い方の幅が、略０．３ｍｍ以上略０．８ｍｍ以下であることが好適である。さらに、芯の先端部は、斜めに切り欠き部を有することが好適である。【選択図】図１
2006239982.tif 000002
【特許請求の範囲】
【請求項１】
芯の先端部の表面の形状が略長方形である鉛筆。
【請求項２】
前記略長方形の長い方の辺の幅が、略２ｍｍ以上略５ｍｍ以下である請求項１記載の鉛筆。
【請求項３】
前記略長方形の短い方の幅が、略０．３ｍｍ以上略０．８ｍｍ以下である請求項１記載の鉛筆。
【請求項４】
前記略長方形の長い方の辺の幅が、ほぼ芯の直径である請求項１記載の鉛筆。
【請求項５】
前記芯の先端部の面積は、芯の断面積より小さいことを特徴とする請求項１記載の鉛筆。
【請求項６】
前記芯の先端部は、斜めに切り欠き部を有することを特徴とする請求項１から請求項５記載の鉛筆。
【請求項７】
前記切り欠き部は、当該鉛筆で記載する紙面に対して、３度から３０度の角度を有する請求項６記載の鉛筆。
【請求項８】
前記芯の硬度は、２Ｂまたは３Ｂである請求項１から請求項７記載の鉛筆。
【発明の詳細な説明】
【技術分野】
【０００１】
本発明は、マークシートを塗りつぶす際に使用する鉛筆等に関するものである。
【背景技術】
【０００２】
従来の鉛筆において、図６に示すように、芯の形状が円柱状で、芯の先端部が円錐状に尖っていた。また、マークシート用鉛筆として、濃く、きれいにマークすることができまる鉛筆が市販されている（非特許文献１参照）。
【非特許文献１】ホームページ、インターネット<ＵＲＬ：http://www.bungu-ya.net/pen/pen2.html>
【発明の開示】
【発明が解決しようとする課題】
【０００３】
しかしながら、従来の鉛筆においては、マークシートを塗りつぶすために時間がかかる、という課題があった。また、従来の鉛筆においては、マークシートを塗りつぶす際に、マークシートを重ね塗りするために、芯を浪費する、という課題があった。
【課題を解決するための手段】
【０００４】
本第一の発明の鉛筆は、芯の先端部の表面の形状が略長方形である鉛筆である。
かかる構成により、マークシートのマーク箇所を高速に塗ることできる。
また、本第二の発明の鉛筆は、芯の先端部の表面の幅が、略２ｍｍ以上略５ｍｍ以下の鉛筆である。つまり、前記略長方形の長い方の辺の幅が、略２ｍｍ以上略５ｍｍ以下である。
かかる構成により、マークシートのマーク箇所の幅と合致し、高速にマーク箇所を塗ることができる。
【０００５】
また、本第三の発明の鉛筆は、芯の先端部の表面の形状を構成する短い方の幅が、略０．３ｍｍ以上略０．８ｍｍ以下の鉛筆である。つまり、前記略長方形の短い方の幅が、略０．３ｍｍ以上略０．８ｍｍ以下である。
かかる鉛筆により、芯が折れにくく、かつ芯を浪費しない。
また、本第四の発明の鉛筆は、芯の先端部の長手方向の幅が、ほぼ芯の直径である鉛筆である。つまり、前記略長方形の長い方の辺の幅が、ほぼ芯の直径である。
かかる構成により、マーク箇所を塗る際に、芯の幅全部を利用でき、芯を有効利用できる。
【０００６】
また、本第五の発明の鉛筆は、第一の発明に対して、前記芯の先端部の面積は、芯の断面積より小さいことを特徴とする。ここでの芯の断面積とは、芯の最大の断面積である。
かかる構成により、マーク箇所を塗る際に、芯が折れにくい。
【０００７】
また、本第六の発明の鉛筆は、第一の発明から第五の発明の鉛筆に対して、前記芯の先端部は、斜めにカットされていることを特徴とする。つまり、本第六の発明の鉛筆は、第一の発明から第五の発明の鉛筆に対して、前記芯の先端部は、斜めに切り欠き部を有する。
かかる構成により、通常、斜めに鉛筆を持つユーザにとって、非常にマーク箇所を塗りやすくできる。また、塗る幅を広くでき、一度にマーク箇所を塗りやすくなる。
【０００８】
また、本第七の発明の鉛筆は、第六の発明の鉛筆に対して、前記切り欠き部は、当該鉛筆で記載する紙面に対して、３度から３０度の角度を有する。
かかる構成により、斜めに鉛筆を持つユーザにとって、よりマーク箇所を塗りやすくできる。また、塗る幅を広くでき、より一度にマーク箇所を塗りやすくなる。
また、本第八の発明の鉛筆は、第一の発明から第七の発明の鉛筆に対して、前記芯の硬度は、２Ｂまたは３Ｂの硬度である。
かかる構成により、光学式読み取り装置が読み取りやすいマークを、マーク箇所に高速に塗れる。
【発明の効果】
【０００９】
本発明による鉛筆によれば、マークシートのマーク箇所を高速に塗ることができる。
【発明を実施するための最良の形態】
【００１０】
本実施の形態における鉛筆の概観図を図１に示す。鉛筆は、手により支えられる把持部１１、芯１２を具備する。
【００１１】
把持部１１は、木材で出来ていることが好適である。ただし、把持部１１の材質は問わない。把持部１１は、持ちやすい太さが好適である。具体的には。把持部１１は、例えば、直径が約８ｍｍから１０ｍｍぐらいが好適である。また、把持部１１の形状は、円柱でも良いし、六角柱でも良いし、その他の形状でも良い。また、把持部１１の先端部１３は、芯１２の先端部１２１に向けて、序々に細くなる形状であることが好適である（図１参照）。芯１２が折れにくくなり、かつマーク箇所を見ながらマークできるため、ユーザが狙った箇所に正確にマークができるためである。なお、マーク箇所とは、マークシートにおけるマークをする箇所である。マーク箇所とは、マークシートにおける、マークの解答を記載する箇所である。
【００１２】
また、芯１２の断面の形状は、円形、長方形、正方形など、問わない。芯１２の断面が円形である場合、その直径は、２ｍｍから５ｍｍぐらいが好適である。芯１２の断面が長方形、正方形である場合、長い方の幅が、２ｍｍから５ｍｍぐらいが好適である。後述する先端部１２１が紙に接する面が、マークシートのマークの幅とほぼ同じになるからである。
【００１３】
また、芯１２の先端部１２１の表面の形状が略長方形であることが好適である。図２は、芯１２の先端部１２１の表面の形状の例を示す。芯１２の先端部１２１の表面の形状は、概ね長方形であれば良く、その長方形の角が丸みを帯びていても良いし（図２（ｂ）参照）、略平行四辺形であっても良い（図２（ｃ））。芯１２の先端部１２１の表面の形状が略平行四辺形であっても、上記の略長方形に該当する。
【００１４】
なお、芯１２の先端部１２１の表面の形状を構成する長い方の幅が、略２ｍｍ以上略５ｍｍ以下の鉛筆が好適である。また、芯１２の先端部１２１の表面の形状を構成する長い方の幅が、略２．５ｍｍであることがさらに好適である。マークシートを一塗りで塗れる幅であるからである。また、芯１２の先端部１２１の長手方向の幅が、ほぼ芯の直径である鉛筆でも良い。
【００１５】
また、芯１２の先端部１２１の表面の形状を構成する短い方の幅が、略０．３ｍｍ以上略０．８ｍｍ以下である鉛筆が好適である。さらに、芯１２の先端部１２１の表面の形状を構成する短い方の幅が、略０．５ｍｍである鉛筆が好適である。鉛筆の芯１２の先が折れにくく、かつ、紙面と接する面が小さいので、抵抗が少なく、高速にマーク箇所を塗れる。また、２度塗りする面積が狭くなるので、芯の浪費が回避できる。
【００１６】
図３（ａ）は、本実施の形態１における鉛筆の上面図である。図３（ｂ）は、本実施の形態１における鉛筆の正面図である。正面図は、芯１２の先端部１２１の幅の広い方が正面である図である。図３（ｃ）は、本実施の形態１における鉛筆の側面図である。側面図は、芯１２の先端部１２１の幅の狭い方が正面である図である。図３（ｄ）は、本実施の形態１における鉛筆の下面図である。鉛筆の尾部１４の方から鉛筆を見た図である。図３において、芯１２の断面形状は円形であるが、長方形、正方形、楕円形等、問わない。
図３（ａ）により分かるように、芯１２の先端部１２１の面積は、芯１２の断面積より小さい。かかることにより、テストの際にマークシートを力強く塗りつぶしても、芯１２が折れにくくなり好適である。図３（ｃ）において、角度（ｙ）は、２２度から２７度が好適である。ユーザがマーク箇所を見ながらマークすることが容易であり、かつ芯が折れにくいからである。
【００１７】
図４は、鉛筆の芯１２の先端部１２１は、斜めに切り欠き部を有することを示す図である。切り欠き部の角度（ｘ）は、当該鉛筆で記載する紙面に対して、３度から３０度の角度を有することが好適である。人が鉛筆を持つ際に、鉛筆を紙面に対して垂直にして鉛筆を持つのではなく、３度から３０度の角度を有して鉛筆を持つからである。図４によれば、芯１２の先端部１２１は、斜めにカットされている。
【００１８】
なお、上記の鉛筆の芯の硬度は、２Ｂまたは３Ｂの硬度であることが好適である。マークシートのマーク箇所を一度に塗りつぶそうとする場合に、多大な力を入れると芯１２１が折れやすい。また、緊張したテストの際に、力を入れて、例えば、数百問の解答をマークすれば、非常に疲れる。そこで、通常、ユーザは、十分な力を入れずにマークする。一方、薄い記載は、マークシートの光学式読み取り装置が読み取りにくい。そこで、種々の試行錯誤により、図１から図３で説明した鉛筆において、２Ｂまたは３Ｂの硬度の芯が好適であることが分かった。
【００１９】
次に、かかる鉛筆の製造方法を、図５を用いて以下に説明する。図５（ａ）は、先端部１２１を有しない鉛筆である。かかる状況において、まず、先端部１２１を構成する前の、鉛筆の先の部分の上下（図５（ｂ）の５１、および５２）を切り落とす。そして、図５（ｂ）に示すような状態の鉛筆を得る。図５（ｂ）の５１、および５２は、ほぼ均等であることが好適である。ほぼ均等に切り落とすのは、ユーザがマーク箇所を見ながらマークしやすいためであり、かつ、塗りやすくするためである。
また、図５（ｂ）を真上から見た上面図が図５（ｃ）である。なお、図５（ｂ）（ｃ）の鉛筆では、鉛筆の芯１２の先の横側の把持部１１に繋がる部分が邪魔をして、マークシートのマーク箇所を塗るつぶすことはできない。
【００２０】
次に、鉛筆の芯１２の先の横側の把持部１１に繋がる部分（５３、５４）を切り落とす。その結果、図５（ｄ）の鉛筆を得る。そして、図５（ｄ）の鉛筆により、ユーザはマークシートのマーク箇所を塗るつぶすことができる。
【００２１】
次に、通常、ユーザは、鉛筆を斜めにして保持するので、芯１２の先端部１２１を、斜めに、一直線になるように切り落とす。つまり、芯１２の先端部１２１が斜めに切り欠き部を有するようにする。そして、図５（ｅ）の鉛筆を得る。かかることにより、多くのユーザは塗りやすくなるとともに、一度の塗る際の芯の幅が広がり、一度に塗りやすくなる。
【００２２】
次に、図５（ｅ）の芯１２と把持部１１の境が所定の角度を形成しており、芯の尖った角（５５、５６）が欠けやすく、または折れやすくなっている。そこで、図５（ｆ）に示す形態になるように、芯の尖った角（５５、５６）を削り、把持部１１と芯１２の先端部１２１が連続するように形成する。
【００２３】
なお、本実施の形態における鉛筆は、一定以上の幅を有して塗るために、全体的に筆圧が弱くなる。したがって、２Ｂまたは３Ｂ等の濃い芯の鉛筆であることが好適である。
【００２４】
以上、本実施の形態における鉛筆において、マークシートのマーク箇所を楽に、かつ高速に塗ることができる。また、本実施の形態における鉛筆において、芯を浪費することなく、マーク箇所を塗ることができる。
【産業上の利用可能性】
【００２５】
以上のように、本発明にかかる鉛筆は、マークシートのマーク箇所を楽に、かつ高速に、かつ芯を浪費することなく塗ることができるという効果を有し、マークシート用鉛筆等として有用である。
【図面の簡単な説明】
【００２６】
【図１】実施の形態の鉛筆の概観図
【図２】芯の先端部の表面の形状を示す図
【図３】鉛筆の四面図
【図４】鉛筆の先端部の形状を示す図
【図５】鉛筆の製造方法を説明する図
【図６】従来の鉛筆の概観図
【符号の説明】
【００２７】
１１  鉛筆の把持部
１２  鉛筆の芯
１３  鉛筆の把持部の先端部
１４  鉛筆の尾部
１２１  鉛筆の芯の先端部
【図１】
2006239982.tif 000003
【図２】
2006239982.tif 000004
【図３】
2006239982.tif 000005
【図４】
2006239982.tif 000006
【図５】
2006239982.tif 000007
【図６】
2006239982.tif 000008